(57)【要約】【課題】装置の組立時に非整合の発生を低減させ、装置の軽量化が可能で、光源で発生する熱の放熱効率を向上させることができる。【解決手段】ディスプレイ装置は、映像信号を受信する映像受信部と；映像受信部に受信される映像信号を処理する映像処理部と；映像処理部で処理される映像信号を映像に表示するディスプレイパネルと；ディスプレイパネルを収容するカバー部と；カバー部のエッジ領域に収容され、光を生成及び照射する光源部と；ディスプレイパネルの背面に配置されるようにカバー部に収容され、光源部から照射される光をディスプレイパネルに反射する反射部材と；エッジ領域に配置された支持部材本体と、支持部材本体に形成され光源部を支持する光源部支持部と、支持部材本体に形成されてディスプレイパネルを支持するパネル支持部と、を有するように一体に成型された支持部材と；を含むことを特徴とする。【選択図】図２
2011096629.tif 000002
【特許請求の範囲】
【請求項１】
ディスプレイ装置において、
映像信号を受信する映像受信部と；
前記映像受信部に受信される映像信号を処理する映像処理部と；
前記映像処理部で処理される映像信号を映像に表示するディスプレイパネルと；
前記ディスプレイパネルを収容するカバー部と；
前記カバー部のエッジ領域に収容され、光を生成及び照射する光源部と；
前記ディスプレイパネルの背面に配置されるように前記カバー部に収容されて、前記光源部から照射される光を前記ディスプレイパネルに反射する反射部材と；
前記エッジ領域に配置された支持部材本体と、前記支持部材本体に形成されて前記光源部を支持する光源部支持部と、前記支持部材本体に形成され前記ディスプレイパネルを支持するパネル支持部と、を有するように一体に成型された支持部材と；
を含むことを特徴とするディスプレイ装置。
【請求項２】
前記光源部は、
複数の光源を含む光源モジュールと；
前記光源から照射される光を集光して前記反射部材に出射するレンズと；
をさらに含み、
前記光源部支持部は、
前記光源モジュールを支持するモジュール支持部と；
前記レンズを前記光源からの光経路上に位置するように支持するレンズ支持部と；
を含むことを特徴とする請求項１に記載のディスプレイ装置。
【請求項３】
前記支持部材は、前記反射部材に向く前記支持部材本体の一面に、前記光源部を収容可能に前記ディスプレイパネルのエッジに従って延長された光源部受容部を含み、
前記光源部支持部は、前記光源部受容部に形成されることを特徴とする請求項２に記載のディスプレイ装置。
【請求項４】
前記支持部材は、前記ディスプレイパネルの四方のエッジ領域にそれぞれ対応する複数の支持部材本体を含み、
前記モジュール支持部及び前記レンズ支持部は、互いに対向する二対の前記支持本体の中でいずれか一対の前記支持部材本体に設けられることを特徴とする請求項２に記載のディスプレイ装置。
【請求項５】
前記反射部材は、対向するように設けられた一対の前記光源モジュールから前記ディスプレイパネルの中央領域に近接すればするほど前記ディスプレイパネルに近接するように形成されることを特徴とする請求項４に記載のディスプレイ装置。
【請求項６】
前記カバー部は、前記ディスプレイパネルを上下でカバーする上側カバー及び下側カバーを含み、
前記反射部材を支持する前記下側カバーの板面は、前記反射部材の形象に対応するように形成されることを特徴とする請求項５に記載のディスプレイ装置。
【請求項７】
前記光源は、発光ダイオード素子を含むことを特徴とする請求項２に記載のディスプレイ装置。
【請求項８】
前記パネル支持部は、前記ディスプレイパネルのエッジ領域が安着されるように前記支持部材本体から突出形成されることを特徴とする請求項１に記載のディスプレイ装置。
【請求項９】
前記パネル支持部に支持され前記反射部材によって反射される光の特性を調節して前記ディスプレイパネルに伝達する光学シート類をさらに含むことを特徴とする請求項８に記載のディスプレイ装置。
【請求項１０】
前記カバー部は、前記ディスプレイパネルを上下でカバーする上側カバー及び下側カバーを含み、
前記支持部材は、前記上側カバーと一体で形成されて前記ディスプレイパネルの各エッジに対応するように分離されて組立可能に設けられた複数の支持部材本体を含むことを特徴とする請求項１に記載のディスプレイ装置。
【請求項１１】
前記支持部材は、金属材質を含むことを特徴とする請求項１乃至請求項１０のいずれか一項に記載のディスプレイ装置。
【請求項１２】
ディスプレイパネルに光を供給するバックライトユニットにおいて、
ディスプレイ装置のエッジ領域に収容され、光を生成及び照射する光源部と；
ディスプレイパネルの背面に配置され、前記光源部から照射される光を前記ディスプレイパネルに反射する反射部材と；
前記エッジ領域に配置された支持部材本体と、前記支持部材本体に形成され前記光源部を支持する光源部支持部と、前記支持部材本体に形成され前記ディスプレイパネルを支持するパネル支持部と、を有するように一体に成型された支持部材と；
を含むことを特徴とするバックライトユニット。
【請求項１３】
前記光源部は、
複数の光源を含む光源モジュールと；
前記光源から照射される光を集光して前記反射部材に出射するレンズと；
をさらに含み、
前記光源部支持部は、
前記光源モジュールを支持するモジュール支持部と；
前記レンズを前記光源からの光経路上に位置するように支持するレンズ支持部と；
を含むことを特徴とする請求項１２に記載のバックライトユニット。
【請求項１４】
前記支持部材は、前記反射部材に向く前記支持部材本体の一面に、前記光源部を収容可能に前記ディスプレイパネルのエッジに従って延長された光源部受容部を含み、
前記光源部支持部は、前記光源部受容部に形成されることを特徴とする請求項１３に記載のバックライトユニット。
【請求項１５】
前記支持部材は、前記ディスプレイパネルの四方のエッジ領域にそれぞれ対応する複数の支持部材本体を含み、
前記モジュール支持部及び前記レンズ支持部は、互いに対向する二対の前記支持本体の中でいずれか一対の前記支持部材本体に設けられることを特徴とする請求項１３に記載のバックライトユニット。
【請求項１６】
前記反射部材は、対向するように設けられた一対の前記光源モジュールから前記ディスプレイパネルの中央領域に近接すればするほど前記ディスプレイパネルに近接するように形成されることを特徴とする請求項１５に記載のバックライトユニット。
【請求項１７】
前記光源は、発光ダイオード素子を含むことを特徴とする請求項１３に記載のバックライトユニット。
【請求項１８】
前記パネル支持部は、前記ディスプレイパネルのエッジ領域が安着されるように前記支持部材本体から突出形成されることを特徴とする請求項１２に記載のバックライトユニット。
【請求項１９】
前記パネル支持部に支持され前記反射部材によって反射される光の特性を調節して前記ディスプレイパネルに伝達する光学シート類をさらに含むことを特徴とする請求項１８に記載のバックライトユニット。
【請求項２０】
前記支持部材は、金属材質を含むことを特徴とする請求項１２乃至請求項１９のいずれか一項に記載のバックライトユニット。
【発明の詳細な説明】
【技術分野】
【０００１】
本発明は、ディスプレイパネルに映像が表示されることができるように光を供給するバックライトユニット及びこれを有するディスプレイ装置に係り、詳しくは支持構造を改善したバックライトユニット及びこれを有するディスプレイ装置に関する。
【背景技術】
【０００２】
テレビジョン、モニター等のようなディスプレイ装置は、画像を表示するディスプレイパネルを備えることによって、放送信号または多様なフォーマットの映像データを表示することができる。このようなディスプレイパネルは、液晶パネル、プラズマパネル等のような多様な形式で具現されて各種のディスプレイ装置に適用されている。ここで、液晶パネル等のようにパネル自体が光を生成することができない場合、ディスプレイ装置は光をパネルに供給するバックライトユニットを備える。
【０００３】
このようなディスプレイ装置のバックライトユニットは、冷陰極蛍光ランプまたは発光ダイオード素子などで具現される光源から照射される光を導光板を通じて均一化させてディスプレイパネルに出射する。バックライトユニットは、導光板に対する光源の配置位置に従って、導光板の背面に平行に配置される直下形及び導光板の側方に配置されるエッジ形がある。
【０００４】
しかし、このような従来のディスプレイ装置は、導光板に光の均一性確保のために光透過パターンが加工されなければならないので導光板の設計が複雑で製造単価が高く、導光板の重量によって軽量化が困難である。また、ディスプレイパネル及びバックライトユニットの各構成要素を支持するための構成が個別的に設けられるので、組立時に公差による非整合（ｍｉｓａｌｉｇｎｍｅｎｔ)及び放熱上の問題点がある。
【発明の概要】
【発明が解決しようとする課題】
【０００５】
従って、本発明の目的は、装置の組立時に非整合の発生を低減させ、軽量化及び放熱構造を向上させるディスプレイ装置を提供することである。
【課題を解決するための手段】
【０００６】
本発明によるディスプレイ装置は、映像信号を受信する映像受信部と；前記映像受信部に受信される映像信号を処理する映像処理部と；前記映像処理部で処理される映像信号を映像に表示するディスプレイパネルと；前記ディスプレイパネルを収容するカバー部と；前記カバー部のエッジ領域に収容され、光を生成及び照射する光源部と；前記ディスプレイパネルの背面に配置されるように前記カバー部に収容されて、前記光源部から照射される光を前記ディスプレイパネルに反射する反射部材と；前記エッジ領域に配置された支持部材本体と、前記支持部材本体に形成されて前記光源部を支持する光源部支持部と、前記支持部材本体に形成され前記ディスプレイパネルを支持するパネル支持部と、を有するように一体に成型された支持部材と；を含むことを特徴とする。
【０００７】
ここで、前記光源部は、複数の光源を含む光源モジュールと；前記光源から照射される光を集光して前記反射部材に出射するレンズと；をさらに含み、前記光源部支持部は、前記光源モジュールを支持するモジュール支持部と；前記レンズを前記光源からの光経路上に位置するように支持するレンズ支持部と；を含む。
【０００８】
ここで、前記支持部材は、前記反射部材に向く前記支持部材本体の一面に、前記光源部を収容可能に前記ディスプレイパネルのエッジに従って延長された光源部受容部を含み、前記光源部支持部は、前記光源部受容部に形成される。
【０００９】
また、前記支持部材は、前記ディスプレイパネルの四方のエッジ領域にそれぞれ対応する複数の支持部材本体を含み、前記モジュール支持部及び前記レンズ支持部は、互いに対向する二対の前記支持本体の中でいずれか一対の前記支持部材本体に設けられることができる。
【００１０】
ここで、前記反射部材は、対向するように設けられた一対の前記光源モジュールから前記ディスプレイパネルの中央領域に近接すればするほど前記ディスプレイパネルに近接するように形成されることができる。
【００１１】
ここで、前記カバー部は、前記ディスプレイパネルを上下でカバーする上側カバー及び下側カバーを含み、前記反射部材を支持する前記下側カバーの板面は、前記反射部材の形象に対応するように形成されることができる。
【００１２】
また、前記パネル支持部は、前記ディスプレイパネルのエッジ領域が安着されるように前記支持部材本体から突出形成されることができる。
【００１３】
ここで、前記パネル支持部に支持され前記反射部材によって反射される光の特性を調節して前記ディスプレイパネルに伝達する光学シート類をさらに含むことができる。
【００１４】
また、前記カバー部は、前記ディスプレイパネルを上下でカバーする上側カバー及び下側カバーを含み、前記支持部材は、前記上側カバーと一体で形成されて前記ディスプレイパネルの各エッジに対応するように分離されて組立可能に設けられた複数の支持部材本体を含むことができる。
【００１５】
また、前記支持部材は、金属材質を含むことができる。
【００１６】
また、前記光源は、発光ダイオード素子を含むことができる。
【００１７】
また、本発明によるディスプレイパネルに光を供給するバックライトユニットは、ディスプレイ装置のエッジ領域に収容され、光を生成及び照射する光源部と；ディスプレイパネルの背面に配置され、前記光源部から照射される光を前記ディスプレイパネルに反射する反射部材と；前記エッジ領域に配置された支持部材本体と、前記支持部材本体に形成され前記光源部を支持する光源部支持部と、前記支持部材本体に形成され前記ディスプレイパネルを支持するパネル支持部と、を有するように一体に成型された支持部材と；を含むことを特徴とする。
【００１８】
ここで、前記光源部は、複数の光源を含む光源モジュールと；前記光源から照射される光を集光して前記反射部材に出射するレンズと；をさらに含み、前記光源部支持部は、前記光源モジュールを支持するモジュール支持部と；前記レンズを前記光源からの光経路上に位置するように支持するレンズ支持部と；を含むことができる。
【００１９】
ここで、前記支持部材は、前記反射部材に向く前記支持部材本体の一面に、前記光源部を収容可能に前記ディスプレイパネルのエッジに従って延長された光源部受容部を含み、
前記光源部支持部は、前記光源部受容部に形成されることができる。
【００２０】
また、前記支持部材は、前記ディスプレイパネルの四方のエッジ領域にそれぞれ対応する複数の支持部材本体を含み、前記モジュール支持部及び前記レンズ支持部は、互いに対向する二対の前記支持本体の中でいずれか一対の前記支持部材本体に設けられることができる。
【００２１】
ここで、前記反射部材は、対向するように設けられた一対の前記光源モジュールから前記ディスプレイパネルの中央領域に近接すればするほど前記ディスプレイパネルに近接するように形成されることができる。
【００２２】
また、前記パネル支持部は、前記ディスプレイパネルのエッジ領域が安着されるように前記支持部材本体から突出形成されることができる。
【００２３】
ここで、前記パネル支持部に支持され前記反射部材によって反射される光の特性を調節して前記ディスプレイパネルに伝達する光学シート類をさらに含むことができる。
【００２４】
また、前記支持部材は、金属材質を含むことができる。
【００２５】
また、前記光源は、発光ダイオード素子を含むことができる。
【発明の効果】
【００２６】
本発明によると、装置の組立時に非整合の発生を低減させ、装置の軽量化が可能で、光源で発生する熱の放熱効率を向上させることができる。
【図面の簡単な説明】
【００２７】
【図１】本発明の第１実施形態によるディスプレイ装置の分解斜視図である。
【図２】図１のディスプレイ装置のI−I線に沿って拡大した要部斜視図である。
【図３】図１のディスプレイ装置が結合されたことを示す要部側断面図である。
【図４】本発明の第２実施形態による支持部材の構成を示す平面図である。
【図５】本発明の第３実施形態によるディスプレイ装置が結合されたことを示す要部側断面図である。
【図６】本発明の第４実施形態によるディスプレイ装置の構成ブロック図である。
【発明を実施するための形態】
【００２８】
以下では、添付図面を参照して本発明に対して詳しく説明する。以下の実施形態では、本発明の思想と直接関連のある構成に関してだけ説明し、それ以外の構成については説明を略する。しかし、本発明の思想が適用されたディスプレイ装置１を具現するにおいて、このように説明が省略された構成が不必要であることを意味するのではないことを明らかにする。
【００２９】
図１は本発明の第１実施形態によるディスプレイ装置１の分解斜視図であり、図２は図１のI−I線に沿って拡大した要部斜視図である。
【００３０】
まず、図面に示す各方向に対して説明する。Ｘ、Ｙ、Ｚ方向は、基本的にそれぞれ横、縦及び高さを示す。ディスプレイパネル３０はＸ−Ｙ平面上に配置され、バックライトユニット４０及びディスプレイパネル３０がＺ方向にしたがって積層されるように配置される。以下、各図面及び実施形態ではこのような方向定義に基づいて説明する。ここで、Ｘ、Ｙ、Ｚ方向の反対方向はそれぞれ−Ｘ、−Ｙ、−Ｚ方向に示し、Ｘ−Ｙ平面はＸ方向の軸及びＹ方向の軸によって形成される平面を意味する。
【００３１】
図１及び図２に示すように、第１実施形態によるディスプレイ装置１は、収容空間を形成するカバー部１０、２０と、カバー部１０、２０による収容空間に収容され映像が表示されるディスプレイパネル３０と、前記収容空間に収容されディスプレイパネル３０に映像が表示されるようにディスプレイパネル３０に光を供給するバックライトユニット４０と、を含む。
【００３２】
カバー部１０、２０は、ディスプレイ装置１の外形を形成し、ディスプレイパネル３０及びバックライトユニット４０を収容する。カバー部１０、２０は、ディスプレイパネル３０及びバックライトユニット４０の上下をそれぞれカバーする上側カバー１０及び下側カバー２０を含む。
【００３３】
上側カバー１０は、Ｘ−Ｙ平面に平行でディスプレイパネル３０と対向する板面上に、ディスプレイパネル３０で映像が表示されるディスプレイ領域が外部に露出されるように形成された開口部を有する。
【００３４】
下側カバー２０は、Ｘ−Ｙ平面に平行でＺ方向に向く板面上に後述する反射部材３００及び支持部材５００を支持する。ここで、下側カバー２０は、前記板面上に反射部材３００の形象に対応するように形成された反射部材支持部２１を有する。反射部材支持部２１は、反射部材３００の傾斜角度及び折曲形象に対応するように形成されて、反射部材３００を安定的に支持する。
【００３５】
上側カバー１０及び下側カバー２０は、ディスプレイパネル３０を基準としてＸ、−Ｘ、Ｙ、−Ｙ方向の４方向のエッジに配置される側壁をそれぞれ有する。ディスプレイ装置１の組立時、このような側壁によってディスプレイパネル３０及びバックライトユニット４０がＸ−Ｙ平面に平行な方向に移動しないように支持される。
【００３６】
ディスプレイパネル３０は、本実施形態では液晶パネルで具現される。ディスプレイパネル３０は、二つの基板（図示せず）の間に液晶層（図示せず）が充填され、駆動信号が引加されてこの液晶層（図示せず）の配列を調整することによって映像を表示する。ディスプレイパネル３０は、独自に発光せず、ディスプレイ領域に映像を表示するためにバックライトユニット４０から光が提供される。ここで、ディスプレイ領域は、ディスプレイパネル３０でＸ−Ｙ平面と平行で映像が表示される領域を意味する。
【００３７】
ディスプレイパネル３０は、駆動回路基板（図示せず）を有し、この駆動回路基板から駆動信号が引加されると、ディスプレイパネル３０の液晶（図示せず）が所定角度に回転する。これによってディスプレイパネル３０のディスプレイ領域を構成する各セル（図示せず）単位で光の透過特性が異なるのでディスプレイ領域に映像が表示されることができる。
【００３８】
バックライトユニット４０は、ディスプレイ装置１のエッジ領域に配置され光を生成及び照射する光源部１００、２００と、ディスプレイパネル３０の背面にしたがって配置され光源部１００、２００から照射される光をディスプレイパネル３０のディスプレイ領域に向けて反射する反射部材３００と、反射部材３００によって反射される光の特性を調節してディスプレイパネル３０に伝達する光学シート類４００と、ディスプレイ装置１のエッジ領域に配置され光源部１００、２００及びディスプレイパネル３０を支持する支持部材５００と、を含む。
【００３９】
光源部１００、２００は、光を生成する光源モジュール１００と、光源モジュール１００から照射される光を集光して反射部材３００に向けて出射するレンズ２００と、を含む。本実施形態では、ディスプレイ装置１の４方向のエッジ領域の中で、Ｘ方向及び−Ｘ方向のエッジ領域にそれぞれ光源部１００、２００が設けられるように表現されたが、本発明の思想はこれに限定されない。この外にも、光源部１００、２００は、Ｙ方向及び−Ｙ方向のエッジ領域に設けられたり、４方向のエッジ領域の中でいずれか１方向にだけ設けられることもできる。ここで、反射部材３００の形象は光源部１００、２００の設置構成によって異なるように設計されることができる。
【００４０】
また、以下の実施形態では、−Ｘ方向のエッジ領域に設けられた光源部１００、２００に関してだけ説明し、Ｘ方向のエッジ領域に設けられた光源部１００、２００については前述した場合を応用することができるので、その説明を略する。
【００４１】
光源モジュール１００は、Ｙ方向にしたがって順次に直列配置された複数の光源１１０と、この複数の光源１１０が装着されるモジュール基板１２０と、を含む。
【００４２】
光源１１０は、本実施形態によると、発光ダイオード素子（ＬＥＤ、Ｌｉｇｈｔ−ｅｍｉｔｔｉｎｇ  ｄｉｏｄｅ）で具現され、モジュール基板１２０から駆動電源及び点滅制御信号が供給される。光源１１０は、モジュール基板１２０に装着される形態にしたがって発光方向を調節することができるし、本実施形態では光の照射方向がＸ方向に向くように、光源１１０及びモジュール基板１２０が配置される。
【００４３】
一つのモジュール基板１２０に装着される光源１１０は、青色ＬＥＤ、緑色ＬＥＤ及び赤色ＬＥＤを含むことができるし、各カラーのＬＥＤから放出される青色光、緑色光及び赤色光が互いに混色されて優秀なカラー再現性を有する白色光を形成することができる。しかし、これは実施形態に過ぎないので、光源１１０は白色光を直接に生成する白色ＬＥＤを含むこともできる。
【００４４】
レンズは、光源１１０からの光経路上に光源１１０に接するように配置され、複数の光源１１０の配置順番にしたがってＹ方向に延長される。レンズ２００は、光源１１０からの光を集光してディスプレイ装置１の中央領域に向くＸ方向に出射する。レンズ２００は、ディスプレイ装置１が要求する光特性に従って多様に設計変更が可能であり、その材質もＰＭＭＡ（Ｐｏｌｙ−ｍｅｔｈｙｌ−ｍｅｔｈａｃｒｙｌａｔｅ）のようなプラスチック（Ｐｌａｓｔｉｃ）や樹脂（Ｒｅｓｉｎ）などを含むことができる。
【００４５】
反射部材３００は、ディスプレイパネル３０のディスプレイ領域と対向する反射面を有し、この反射面は、光源モジュール１００から離隔すればするほどディスプレイパネル３０に近接するように形成される。これによって、光源部１００、２００からディスプレイパネル３０の板面に平行なＸ方向に出射される光をディスプレイパネル３０に反射させることができる。
【００４６】
本実施形態のように光源モジュール１００が一対で対向するように配置された場合、反射部材３００の反射面はそれぞれの光源モジュール１００から離隔すればするほどディスプレイパネル３０に近接するので、反射部材３００はディスプレイパネル３０の中央領域を中心として対称を形成する。
【００４７】
光学シート類４００は、ディスプレイパネル３０に平行にディスプレイパネル３０の背面に少なくとも１枚が積層される。光学シート類４００は、プリズムシート、拡散シート、保護フィルムなどを含み、反射部材３００から反射される光の特性を調節してディスプレイパネル３０に伝達する。
【００４８】
支持部材５００は、ディスプレイ装置１またはディスプレイパネル３０の４方向のエッジ領域にしたがって四角の環形で形成される。支持部材５００は、上側カバー１０及び下側カバー２０の間に介在されて、上側カバー１０及び下側カバー２０の間を支持する。
【００４９】
図２は、支持部材５００をさらに詳しく示す要部斜視図である。
【００５０】
図２に示すように、支持部材５００は、支持部材本体５１０と、支持部材本体５１０に形成され光源部１００、２００を支持する光源部支持部５３０、５４０と、支持部材本体５１０に形成されディスプレイパネル３０を支持するパネル支持部５５０と、を含む。
【００５１】
このように、支持部材５００は、光源部１００、２００及びディスプレイパネル３０を支持する構成が一体になるように形成される。このように支持部材５００の一体型構成によって生産性の向上、光源部１００、２００で発生する熱の放熱效率の向上、組立性の向上及び構成要素の間の組立公差によって発生することがある非整合の防止などを期待することができる。
【００５２】
支持部材５００は圧出成型などによって一体型で製造されることができるし、製造性、組立性及び放熱のために金属材質、例えばアルミニウム合金などで形成される。
【００５３】
支持部材本体５１０は、四角形の断面を基準として、上側カバー１０に接する上側面５１１と、下側カバー２０に接する下側面５１３と、ディスプレイ装置１の外側に向く外側面５１５と、ディスプレイ装置１の内側、即ち光源部１００、２００の光照射方向に向く内側面５１７と、を有する。
【００５４】
支持部材本体５１０は、長さ方向にしたがって、即ち光源モジュール１００の延長方向にしたがって内側面５１７から陷沒形成された光源部受容部５２０を有する。光源部受容部５２０は、光源部１００、２００、即ち光源モジュール１００及びレンズ２００を収容し、光源部１００、２００が設けられない支持部材本体５１０には形成されない。
【００５５】
光源部支持部５３０、５４０は、光源モジュール１００を支持するように光源部受容部５２０の内側に形成されたモジュール支持部５３０と、レンズ２００が光源１１０からの光経路上に位置するように光源部受容部５２０の入口領域に形成されたレンズ支持部５４０と、を含む。
【００５６】
モジュール支持部５３０及びレンズ支持部５４０がそれぞれ光源モジュール１００及びレンズ２００を支持する構成は限定されず多様な構成が適用されることができる。
【００５７】
例えば、モジュール支持部５３０は、光源部受容部５２０内で光源モジュール１００にしたがって延長された溝で具現され、モジュール基板１２０がこの溝で具現されたモジュール支持部５３０に圧入されて支持される構成が可能である。または、モジュール支持部５３０は、係止部を有することによってモジュール基板１２０の弾性変形によってこの係止部に係止される構成も可能である。一方、レンズ支持部５４０は、光源部受容部５２０の上下に形成された溝で具現され、レンズ２００の上下の両端がそれぞれこの溝に挿入される構成が可能である。
【００５８】
パネル支持部５５０は、上側面５１１と光源部受容部５２０の間の内側面５１７の上からディスプレイ装置１の中央領域に向いて突出される。パネル支持部５５０は、ディスプレイパネル３０及び光学シート類４００のエッジ領域が安着され、上側カバー１０とともにディスプレイパネル３０及び光学シート類４００を支持する。
【００５９】
パネル支持部５５０が支持部材本体５１０から突出される長さは、ディスプレイパネル３０及び光学シート類４００を支持することができる範囲内で多様に指定されることができるが、反射部材３００によって反射される光を干渉しない範囲に制限される。
【００６０】
図３はディスプレイ装置１の各構成要素を結合したことを示す要部側断面図である。
【００６１】
図３に示すように、上側カバー１０及び下側カバー２０によって形成された収容空間内に、ディスプレイパネル３０及びバックライトユニット４０が収容される。この収容空間のエッジ領域には支持部材５００が介在され、これによって上側カバー１０及び下側カバー２０の間が支持されることによってディスプレイ装置１のエッジ領域の強度が向上される。
【００６２】
支持部材５００の光源部受容部５２０は、光源モジュール１００及びレンズ２００を収容し、モジュール支持部５３０及びレンズ支持部５４０は、それぞれ光源モジュール１００及びレンズ２００を収容する。そして、パネル支持部５５０は、上側カバー１０とともにディスプレイパネル３０及び光学シート類４００を支持する。
【００６３】
このようなモジュール支持部５３０、レンズ支持部５４０及びパネル支持部５５０は、一体で形成された支持部材５００で具現される。従って、モジュール支持部５３０、レンズ支持部５４０及びパネル支持部５５０がそれぞれ別途の構成で具現される場合に比べて、組立による公差及び非整合を防止することができる。
【００６４】
反射部材３００は、下側カバー２０の反射部材支持部２１によって支持される。
【００６５】
光源１１０からＸ方向に照射される光Lはレンズ２００を通過しながら集光されて反射部材３００に向けて出射される。ここで、光源部受容部５２０は、反射面を形成することによって光源１１０からの光Lをレンズ２００に反射することもできる。
【００６６】
レンズ２００から出射される光Lは、反射部材３００によってＺ方向に反射されて光学シート類４００に入射される。光学シート類４００を通過する光Lは、その特性が調整されてディスプレイパネル３０に入射され、これによってディスプレイパネル３０上に映像が表示される。
【００６７】
光源１１０は、光L以外にも熱を発散し、この熱は支持部材本体５１０を通じて上側カバー１０及び下側カバー２０に伝達されることによって放熱が行われる。支持部材５００は、金属材質の一体型で構成されるので、光源１１０の熱が上側カバー１０及び下側カバー２０に效率的に伝達されることができる。
【００６８】
製造者がこのようなディスプレイ装置１を組立てる順序は限定されないが、例えば次のようである。まず、製造者は光源モジュール１００を光源部受容部５２０内のモジュール支持部５３０に支持させた後、レンズ２００をレンズ支持部５４０に支持させる。製造者は、ディスプレイパネル３０及び光学シート類４００を積層しパネル支持部５５０上に安着させる。
【００６９】
製造者は反射部材３００を下側カバー２０に支持させる。そして、製造者は光源モジュール１００、レンズ２００、光学シート類４００及びディスプレイパネル３０を支持する支持部材５００を下側カバー２０に収容する。製造者は上側カバー１０でディスプレイパネル３０を上側からカバーする。このように、ディスプレイ装置１の組立が行われることができる。
【００７０】
以上によると、本実施形態は、カバー部１０、２０内に光源部１００、２００、光学シート類４００及びディスプレイパネル３０をそれぞれ支持する構成が一体で形成された支持部材５００を適用する。したがって、ディスプレイ装置１のエッジ領域の器具強度の改善、組立性及び生産性の改善、放熱の效率性の増大などを期待することができる。
【００７１】
一方、前述した第１実施形態では、支持部材５００が環形で一つの支持部材本体５１０を有することで表現したが、本発明の思想はここに限定されない。従って、支持部材５００ａを第１実施形態と異なるように構成した例を第２実施形態として、以下図４を参照して説明する。図４は、第２実施形態による支持部材５００ａの構成を示す平面図である。
【００７２】
支持部材５００ａは、ディスプレイパネル３０四方のエッジ領域にそれぞれ対応する複数の支持部材本体５１０ａ、５１０ｂ、５１０ｃ、５１０ｄを含む。詳しくは、支持部材５００ａは、ディスプレイパネル３０の−Ｘ、Ｘ、−Ｙ、Ｙ方向のエッジにそれぞれ配置される第１支持部材本体５１０ａ、第２支持部材本体５１０ｂ、第３支持部材本体５１０ｃ及び第４支持部材本体５１０ｄで分離される。このそれぞれの支持部材本体５１０ａ、５１０ｂ、５１０ｃ、５１０ｄは、ディスプレイ装置１の組立時ディスプレイパネル３０の各エッジに配置される。
【００７３】
第１支持部材本体５１０ａ及び第２支持部材本体５１０ｂと、第３支持部材本体５１０ｃ及び第４支持部材本体５１０ｄは、それぞれ対向するように設けられ、本実施形態によると、光源モジュール１００及びレンズ２００は、第１支持部材本体５１０ａ及び第２支持部材本体５１０ｂにそれぞれ設けられる。ここで、それぞれの光源モジュール１００及びレンズ２００は、光の方向が互いに対向するように配置される。
【００７４】
この場合、光源部受容部５２０及び光源部支持部５３０、５４０は、第１支持部材本体５１０ａ及び第２支持部材本体５１０ｂに形成され、パネル支持部５５０は、すべての支持部材本体５１０ａ、５１０ｂ、５１０ｃ、５１０ｄに形成される。
【００７５】
このように、支持部材５００ａを複数の支持部材本体５１０ａ、５１０ｂ、５１０ｃ、５１０ｄに分離すれば、各支持部材本体５１０ａ、５１０ｂ、５１０ｃ、５１０ｄは、直線に延長されるので第１実施形態の場合に比べて容易に製造することができるので、生産性が向上される。特に、支持部材５００ａを圧出成型で製造する場合には、このように支持部材本体５１０ａ、５１０ｂ、５１０ｃ、５１０ｄを分離して製造することが有利である。
【００７６】
一方、前述した実施形態では、支持部材５００が上側カバー１０と別個の構成であることで表現したが、支持部材５００及び上側カバー１０が一体型で構成されることもできる。従って、このような構成を第３実施形態として、以下図５を参照して説明する。
【００７７】
図５は、第３実施形態によるディスプレイ装置１が結合されたことを示す要部側断面図である。第３実施形態で、第１実施形態と同一の構造及び機能を有する構成については第１実施形態を応用することができるので、その説明を略する。
【００７８】
図５に示すように、支持部材６００は、支持部材本体６１０と、支持部材本体６１０に形成されて光源部１００、２００を収容する光源部受容部６２０と、光源部１００、２００を支持するように光源部受容部６２０に形成された光源部支持部６３０、６４０と、ディスプレイパネル３０及び光学シート類４００を支持するパネル支持部６５０と、を含む。
【００７９】
ここで、パネル支持部６５０は、ディスプレイパネル３０及び光学シート類４００の上下を支持する。これは第１実施形態の場合に上側カバー１０がディスプレイパネル３０の上側を支持することを代わることで、パネル支持部６５０は支持部材本体６１０の長さ方向にしたがって溝形象を有するので、ディスプレイパネル３０及び光学シート類４００のエッジ領域を収容する。
【００８０】
ところが、このような第３実施形態のディスプレイ装置１を組立てる場合、第１実施形態のように支持部材５００が環形を有すれば、ディスプレイパネル３０及び光学シート類４００がパネル支持部６５０に支持されにくい。
【００８１】
したがって、この場合に第２実施形態のように支持部材６００がディスプレイパネル３０の各エッジに対応する複数の支持部材本体６１０に分離される。ディスプレイ装置１の組立時、各支持部材本体６１０に形成されたパネル支持部６５０をディスプレイパネル３０及び光学シート類４００のエッジに挿入する形態で組立が行われる。
【００８２】
一方、前述した実施形態は多様な形態で具現されるディスプレイ装置１に適用されることができる。以下、ディスプレイ装置１がテレビジョンで具現される場合、本発明の実施形態が適用される例示を第４実施形態として図６を参照して説明する。
【００８３】
図６は、第４実施形態によるディスプレイ装置１の構成ブロック図である。図６で実線は映像信号または制御信号の伝達、点線は光の伝達を意味する。
【００８４】
図６に示すように、本実施形態によるディスプレイ装置１は、映像信号を受信する映像受信部６０と、映像受信部６０に受信される映像信号を処理する映像処理部７０と、映像処理部７０によって処理される映像信号を映像に表示するディスプレイパネル８０と、ディスプレイパネル８０に映像が表示されるように光を供給するバックライトユニット９０と、を含む。
【００８５】
映像受信部６０は、次のように多様な規格を有することができる。例えばディスプレイ装置１がテレビジョンで具現される場合、映像受信部６０は、放送局（図示せず）から送出されるＲＦ（Ｒａｄｉｏ  Ｆｒｅｑｕｅｎｃｙ）信号を無線で受信したり、またはコンポジット（Ｃｏｍｐｏｓｉｔｅ）ビデオ、コンポーネント（Ｃｏｍｐｏｎｅｎｔ）ビデオ、スーパービデオ（Ｓｕｐｅｒ  Ｖｉｄｅｏ）、ＳＣＡＲＴ、ＨＤＭＩ（ｈｉｇｈ  Ｄｅｆｉｎｉｔｉｏｎ  Ｍｕｌｔｉｍｅｄｉａ  Ｉｎｔｅｒｆａｃｅ）規格などによる映像信号を受信することができる。または、映像受信部６０は、ディスプレイ装置１がコンピュータのモニターである場合にＶＧＡ方式によるＲＧＢ信号を伝達することができるＤ−ＳＵＢや、ＤＶＩ（Ｄｉｇｉｔａｌ  ＶＩＤＥＯ  Ｉｎｔｅｒａｃｔｉｖｅ）、ＨＤＭＩ規格などの映像信号を受信するように具現することができる。
【００８６】
映像処理部７０は、映像受信部６０から伝達される映像信号に対して、既に設定された多様な映像処理プロセスを行う。映像処理部７０が行う映像処理プロセスの種類は限定されないので、例えば多様な映像フォーマットに対応するデコーディング（Ｄｅｃｏｄｉｎｇ）及びインコーディング（ｅｎｃｏｄｉｎｇ）、デインターレーシング（Ｄｅ−Ｉｎｔｅｒａｃｉｎｇ）、フレームリフレッシュレート（Ｆｒａｍｅ  Ｒｅｆｒｅｓｈ  Ｒａｔｅ）変換、スケーリング（Ｓｃａｌｉｎｇ）、映像画質改善のためのノイズ減少（Ｎｏｉｓｅ  Ｒｅｄｕｃｔｉｏｎ）、ディテールエンハンスメント（Ｄｅｔａｉｌ  Ｅｎｈａｎｃｅｍｅｎｔ）などを含むことができる。
【００８７】
映像処理部７０は、このような各プロセスを独自に行うことができる個別的な構成で具現されたり、または色々な機能を統合させた一体型の構成で具現されたりすることができる。
【００８８】
ディスプレイパネル８０及びバックライトユニット９０の構成は、前述した実施形態の構成と実質的に同一であるので、その説明を略する。
【００８９】
以上、多様な実施形態を通じて本発明に対して図示し説明したが、本発明はこれに限定されず、本発明の属する技術分野の通常の知識を有する人なら本発明の原則や精神から外れることなく本発明の実施形態を変形し得ることを分かることができる。発明の範囲は、特許請求の範囲とその均等物によって定められる。
【符号の説明】
【００９０】
１  ディスプレイ装置
１０  上側カバー
２０  下側カバー
２１  反射部材支持部
３０  ディスプレイパネル
４０  バックライトユニット
１００  光源モジュール
１１０  光源
１２０  モジュール基板
２００  レンズ
３００  反射部材
４００  光学シート類
５００  支持部材
５１０  支持部材本体
５２０  光源部受容部
５３０  モジュール支持部
５４０  レンズ支持部
５５０  パネル支持部
【図１】
2011096629.tif 000003
【図２】
2011096629.tif 000004
【図３】
2011096629.tif 000005
【図４】
2011096629.tif 000006
【図５】
2011096629.tif 000007
【図６】
2011096629.tif 000008